(57)【要約】 【課題】  水中沈殿物の回収除去を行なうための取り扱いが容易で、長い距離を実用的濃度で吸引できる装置を提供する。【解決手段】  吸水管先端を沈澱物上に維持し、該吸水管下流の沈殿物中に埋没して吸砂する、集砂管部の吸砂口高さ位置を高く低く変えることで、吸砂能力を調整して水破り現象を抑制し、垂直方向吸砂口を備えた水路部分には仕切りを設けて、吸入水路を分割して確実な始動時吸水を行なわせ、垂直水路、水平水路の吸砂口間つなぎ目には導水水路を形成し、吸砂口を分断する補強リブ等には掃流隙間を開窄して吸砂の連続性を図る。更に、集砂管部吸砂口には沈澱物の上方水を外部給水して、吸入濃度の向上を図る。【選択図】  図１
2017133170.tif 000002
【特許請求の範囲】
【請求項１】
吸入管の上流端吸水口を沈殿物に埋没させない高さに維持し、該吸入管の沈殿物に埋没する途中位置には、水路底又は水路側壁に沿った吸砂口を一定区間開口させた集砂管部を備えて、下流端を揚水源に接続連通し、水中沈殿物を回収又は除去する装置において、該集砂管部の吸砂口の開口高さ位置を、上流側を高く、下流側を低く、階段状又は傾斜させて開窄し開口させた揚泥装置。
【請求項２】
吸入管の上流端吸水口を沈殿物に埋没させない高さに維持し、下流側を一旦沈澱物中に没入降下させた後反転上昇、或いは、必要方向に延伸して揚水源に接続連通させた揚泥装置において、該降下部分の水路側壁に水路方向に沿った吸砂口を一定区間開口させると共に、該水路内に水路方向の仕切りを設けて、吸砂口側と非吸砂口側水路に分割し、該仕切の下流端で合流させるようにした揚泥装置。
【請求項３】
吸入管の上流端吸水口を沈殿物に埋没させない高さに維持し、該吸入管の沈殿物に埋没する途中位置には、管路底又は管路側壁に沿って吸砂口を一定区間開口させた集砂管部を備えて、下流端を揚水源に接続連通し、水中沈殿物を回収又は除去する装置において、該集砂管部に開窄する吸砂口上流端の該集砂管下半側壁を一段大きく開窄し、先端吸砂口を開口させた揚泥装置。
【請求項４】
吸入管の上流端吸水口を沈殿物に埋没させない高さに維持する補吸水筒部を備え、該吸入管の沈殿物に埋没する途中位置には、管路底又は管路側壁に沿って吸砂口を一定区間開口させた集砂管部を備えて、下流端を揚水源に接続連通し、水中沈殿物を回収又は除去する装置の、該補吸水筒部の側壁に、管路方向に沿った吸砂口を備えるものにおいて、該集砂管部に開窄した吸砂口上辺から該補吸水筒部に開窄した吸砂口間に、外方に突出させた導水庇を設けて、該導水庇の下辺に流水路を形成しやすくした揚泥装置。
ann 
【請求項５】
補吸水筒部、或いは、集砂管部の吸砂口にスリット状に開窄した吸砂口を備えるものにおいて、該スリット状吸砂口により水路方向に分断される形の該補吸水筒部左右、或いは該集砂管部上下を支承するリブや、補強するリブのスリット状吸砂口に当接する部分に、大きく開窄した空隙を設け、該空隙部を通過した吸入水が、該リブを越した位置の集砂管外沈殿物を洗掘して流入できるようにしたリブで、支承や補強を行なうようにした、請求項１、請求項２、請求項３、請求項４のいずれかの揚泥装置。
【請求項６】
吸入管の上流端吸水口を沈殿物に埋没させない高さに維持し、該吸入管下流の沈殿物に埋没する途中位置には、管路底又は管路側壁に沿って吸砂口を一定区間開口させた集砂管部分を備えて、下流端を揚水源に接続連通し、水中沈殿物を回収又は除去する装置において、該集砂管の上辺に冠設する形の給水カバー、或いは下辺を開窄開放した管状体の給水管を、該集砂管の上辺に並行させて、或いは、該集砂管の下流側が高くなるように傾斜させて載置し、該給水カバー又は該給水管に沈殿物の上方水を供給できるようにした揚泥装置。
【請求項７】
吸水カバー、或いは給水管に沈澱物の上方水を供給する管路を、補吸水筒を二重管にする形や、円管を管路方向に分割した円弧状材を補吸水筒外周に付加する形、或いは、該補吸水筒内を管路方向に分割する形で、該補吸水筒と一体化した水路で、上方水を供給するようにした請求項６の揚泥装置。
【請求項８】
吸入管の上流端吸水口を沈殿物に埋没させない高さに維持し、該吸入管下流側を一旦沈澱物中に没入降下させた後、反転上昇させる管路の最深部に吸砂口を開口し、下流端を揚水源に接続連通して水中沈殿物を回収又は除去する揚泥装置において、該上流端吸水口下方から該吸砂口に近接した上辺までの間の、該降下部管と該上昇部管のあいだの両側を側板で塞ぎ、或は、該下降部管と該上昇部管の双方を一体的に囲う形に防砂囲いを設けて、該装置が沈澱物に埋没した時に、該沈澱物の上方水を該吸砂口に近接させて外部給水を行うようにした揚泥装置。
【発明の詳細な説明】
【技術分野】
【０００１】
本発明は、ダム、湖沼、河川、産業施設水槽等の水底沈殿物を回収又は除去するための装置に関するものである。
【背景技術】
【０００２】
豪雨や土石流に依るダムへの流入土砂や、湖沼の泥土、河川における土砂の採取や除去、産業施設水槽での泥土等、実に多くの種類の水中沈殿物の回収や除去が必要とされており、これ等沈殿物の除去には実に多くの種類の装置が提供されている。
本願発明人においても、広い範囲の揚砂揚泥を可能にする特許第３８９５５０５号を取得し、特願第２０１５−１１６０７８号を出願しているが満足できるものではなく、これを改善する。
【先行技術文献】
【特許文献】
【０００３】
【特許文献１】特開２０１２-２２９５２８
【特許文献２】特開２０１２−１９７５８０
【特許文献３】特開２００３−１３８５９８
【発明の概要】
【発明が解決しようとする課題】
【０００４】
本願発明人の特許第３８９５５０５号及び特願２０１５−１１６０７８号の覆水路の思想を用いた揚泥装置の基本形態は、吸入管の上流端吸水口を沈殿物に埋没させない高さに維持する補吸水筒部を備え、該吸入管の下流沈殿物に埋没する途中位置には、管路底又は側壁に沿って窄穴配列した孔やスリット状に開窄した吸砂口を開口させた集砂管部分を備えて、下流基端部に送泥管を接続して落差やサイフォン、動力ポンプ、ジェットポンプ、エアーリフトポンプ、真空装置等の揚水源に接続し、管路内に必要な流速を与えて、集砂管部分が埋没した状態で沈殿物を回収又は除去する装置であり、これを「覆水路揚泥装置」と称呼して以下説明する。
【０００５】
前記する覆水路揚泥装置の構成は基本構成であり、補吸水筒部分を省略し、集砂管部を直接沈澱物上に突出させることや、補吸水筒部に前記集砂管部同様の吸砂口を備えたもの備えないものがある。
【０００６】
覆水路揚泥装置には、揚送濃度を安定した高濃度となしがたいことと、広い範囲の沈澱物を吸入させるために、集砂管の長い範囲に吸砂口を開窄して吸入させると、揚水源で吸引される下流側が最も強く吸引されるために、該下流側吸砂口の周辺沈殿物が優先して吸入排除され、該上方がすり鉢状に開放（以降“吸い破り現象”と称呼する）されて、開放された該吸砂口の流入速度が一定速度以下になると該集砂管の上流側吸砂口からの吸砂はできなくなる大きな課題がある。
【０００７】
吸い破り現象を避けるために、覆水路揚泥装置における集砂管部を極端に短縮した形態や、覆水路揚泥装置の集砂管部分を立設した形、或いは、吸砂口を設けた補吸水筒部分のみで揚砂するようにした形態の“縦形揚泥装置”とした場合にも、揚送濃度が低いことや、縦方向吸砂口となるために、休止中に管路内堆砂を生じやすく、稼働初期閉塞を生じやすい等の課題がある。
【課題を解決するための手段】
【０００８】
本発明では、吸い破り現象を克服する手段として、吸い破り現象を極力遅らせることと、吸い破り現象発生前に集砂管の上流側（補吸水筒側）沈殿物を吸入排除されやすくして解決する。
【０００９】
吸い破り現象を遅らせる手段として、集砂管部の吸砂口開口高さ位置を下流基端側では、直下部又は低い高さ位置に開窄し、上流側では水路中心近くの高い位置になるように、階段状、或いは、傾斜させて開窄し、該集砂管の上流側で沈殿物が吸入されやすく、且つ、吸入沈殿物が水路内で混合排除されやすくする。
【００１０】
覆水路揚泥装置の補吸水筒部や縦形揚泥装置のように、上下方向水路に吸砂口を開窄した管路にあっては、該管路内に水路方向仕切を設けて、吸砂口水路と非吸砂口水路に分割し、該非吸砂口水路では確実な上方水の流入水路を確保し、吸砂口水路では濃密な沈殿物を流入させ、該水路方向仕切の下方端で合流させ混合することで、稼働初期の通水を円滑にし、混合濃度の安定化を図る。
【００１１】
覆水路揚泥装置の集砂管部吸砂口の上流端には、該集砂管下半を大きく開窄した先端吸砂口を開口させ、外部沈殿物の流入を容易にする。
【００１２】
補吸水筒部に吸砂口を備えた覆水路揚泥装置において、該補吸水筒部吸砂口と集砂管部吸砂口が分断される構成となる場合は、該集砂管の吸砂口上流端上辺から該補吸水筒の吸砂口に至る間に、外方に突出させた導水庇を設け、沈殿物の安息角の影響もあり該導水庇下にできる空隙を初期流水路にして、該補吸水筒部吸砂口の沈殿物排除で得られるようになる沈澱物の上方水を、該集砂管の先端吸砂口及び吸砂口上辺に導き、沈殿物吸入が該集砂管吸砂口に連続しやすくする。
【００１３】
又、スリット状吸砂口を備えた集砂管においては、該スリット状吸砂口の開窄により、該集砂管が上下に分割される形になるために、上下集砂管の保持補強が必要であり、該集砂管上下をつなぐ形で集砂管外部に設けるつなぎリブ、或は支承物等の該吸砂口に当接する周辺部を、外方及び上方に広く開窄した貫通空隙部を作り、該貫通空隙部を通過した該集砂管外の流入水が、リブ、或は支承物を越した位置の該集砂管外沈殿物を洗掘する状態で該吸砂口に流入するようにして、円滑な吸砂作用の連続化を図る。
【００１４】
更に、集砂管上辺には、該集砂管との間に通水路となる間隙を設けた給水カバーを冠設し、或いは、該集砂管上方に近接し、下辺を開窄開放した円環状外部給水管を該集砂管の全長、或は、上流側の一定区間に載置し、該給水カバー下の通水路隙間、或いは、該給水管に沈殿物の上方水を供給できるようにした供給水管を立設する等して、該集砂管の吸砂口上辺に近接した位置から、沈澱物の浸透水距離を短くして外部給水を行なうことで、吸砂口から吸入される浸透水量を増やし、集砂管の全長、又は、上流側補吸水筒寄りの一定区間の沈殿物吸入量を増加させる。
【００１５】
縦形揚泥装置の場合においては、下方端で集砂管を介して連通し、並立する形の補吸水筒と送泥管との間を、該補吸水筒の吸水口下から、下方端を該集砂管に近接した高さ位置までの間、両側面に側板を設けてふさぎ縦方向の空間水路を形成し、該装置が沈澱物に深く埋没した際に、沈澱物の上方水を該集砂管近くまで導入供給して、介在する沈澱物の浸透水通過距離を短くして、該集砂管吸砂口への沈澱物の吸入量を増加させる。
【００１６】
又、前記の側板に替えて、補吸水筒と送泥管全体を断面長円形の給水囲いカバーで囲い、沈澱物の上方水を集砂管吸砂口の全周囲上辺に近接させて給水し、吸砂口全体からの沈殿物吸入を促進することもできる。
【発明の効果】
【００１７】
前述するように本発明では、集砂管吸砂口の開口高さ位置による吸砂能力調整、縦方向吸砂口を設けた水路での通水稼働初期の管内閉塞の解消、先端吸砂口や給水カバーによる集砂管上流側の吸砂能力の向上、補吸水筒部吸砂口から集砂管吸砂口への沈澱物吸入の円滑連続化等により、この種揚砂揚泥装置の実用的集砂距離を伸ばし、吸入濃度の向上、安定化ができた。
【図面の簡単な説明】
【００１８】
【図１】第１実施例の三面図であり、（イ）正面図、（ロ）平面図、（ハ）側面図。
【図２】図中の（二）図は図１のＡ部断面、（ホ）図はＢ部断面視図。
【図３】図中の（へ）図は図１のＣ部断面視図、（ト）図はＤ部断面視図、（チ）図はＥ部断面図。
【図４】第２実施例の正面図を示す。
【図５】図中（リ）図は図４のＡ−Ａ視側面図、（ヌ）図はＢ−Ｂ断面視図。
【図６】図中（ル）図は図４のＣ部断面視図、（ヲ）図はＤ部断面視図、（ワ）図はＥ部断面視図。
【図７】第３実施例の正面図を示す。
【図８】図中の（カ）図は図７のＡ−Ａ視側面図、（ヨ）図はＢ部断面図。
【図９】図中の（タ）図は図７のＣ−Ｃ断面視図、（レ）図はＤ−Ｄ断面視図。
【図１０】第４実施例の正面図を示す。
【図１１】図中の（ソ）図は図１０のＡ−Ａ視断面図、（ツ）図はＢ部断面視図。
【図１２】第５実施例の補吸水筒近辺を示す部分図であり、図中（ネ）図は正面図を示し、（ウ）図は（ネ）図のＡ−Ａ断面視図、（イ）図は平面図を示す。
【図１３】第６実施例を示す図であり、図中の（ノ）図は正面図を示し、（オ）図は側面図を示す。
【図１４】図中（ク）図は図１３（ノ）図のＡ部断面図、（ヤ）図はＢ−Ｂ断面図。
【図１５】第７実施例を示す図であり、図中（マ）図は正面図を示し、（ケ）図は側面図を示し、（フ）図は（マ）図のＡ−Ａ断面図を示す。
【発明を実施するための形態】
【００１９】
以下、本発明の実施形態を図１〜図１５に基づいて説明する。
【実施例１】
【００２０】
本発明の第１実施例は、図１に三面図を示し、集砂管１Ａ及び補吸水筒２Ａの各部断面図を図２、図３に示すような覆水路揚泥装置であって、沈殿物が発生する水底に設置し、送泥管３Ａのフランジ部を揚水源に接続して使用するものであり、集砂管３Ａの一部、或は全部がうまり、補吸水筒２Ａの吸水口５が沈殿物上の水中にある状態で通水稼働させ、周辺沈殿物を回収除去する装置である。
【００２１】
集砂管１Ａの送泥管３Ａに近い部分には、図２（二）図に示すように集砂管１Ａの直下部に管路方向に開窄した吸砂口６があり、（ホ）図に示す断面Ｂ部では、取扱い沈殿物の安息角を考慮して、装置休止時に外部沈殿物が自然には崩れ込みにくい高さ位置の両側に吸砂口６を開窄しており、図３の（へ）図に示す断面Ｃ部では、装置休止時に外部沈殿物が集砂管１Ａ内に自然に崩れ込む高さ位置に、給砂口６が開窄されている。
【００２２】
集砂管１Ａが埋没状態の通水稼働時において、沈殿物が該集砂管１Ａに流入するためには、吸砂口６が直下部にある（二）図の断面Ａ部では、沈殿物からの浸透水が当該沈殿物粒子を浮上させ、流入させる速度が必要であり、（ホ）図断面位置Ｂ部では、沈殿物は自然には崩れ込めないけれども、浸透水又は流入水速度が沈殿物を横移動させ得る速度であれば集砂管内に流入する。
【００２３】
（へ）図の断面Ｃ部に於いては、沈殿物は自然に集砂管１Ａ内に滑落流入し、管内に堆積した該沈澱物は、吸入位置が高い分、管内の安息角稜線長さが長く、流動水との混合流域が広く、混合排除されやすい。
【００２４】
補吸水筒２Ａには、管路方向に沿った縦方向の吸砂口７を開窄し、該補吸水筒２Ａ内には（チ）図に断面を示すように仕切板４Ａを設けて、非吸砂口側流水路ｄと吸砂口側流水路ｅに分割して、下方端の図１（イ）図に示すｆ部で合流し混合させる。
【００２５】
該ｆ部位置の集砂管１Ａ下辺には、一段大きく開口させた先端吸砂口１０を開口させて外部沈殿物の流入を容易にする。
【００２６】
又、吸砂口７と吸砂口６の上流端上辺間には、導水庇８を、図３（ト）図に示すように庇外方を低く傾斜させて、集砂管１Ａ寄りに沈澱物のない庇下空隙ａを作る形で配設し、吸砂口７から吸砂口６への沈澱物吸入のつながりを図る。
【００２７】
集砂管１Ａは断面（ホ）図及び（へ）図に示す部分では、スリット状の吸砂口６に依って上下に分割された状態であり、該上下を保持、或は、吸砂口６の間隔を保持するためのつなぎリブ９の該吸砂口６に当接する部分を、前面方向及び上方に大きく開窄して空隙ｂを設けた形態にすることにより、該空隙部ｂを通過した外部流入水が、つなぎリブ９を越えた位置の外部沈殿物を洗掘、或いは、掃流して該吸砂口６に流入し、つなぎリブ９前後の沈殿物の吸入が円滑につながる。
【００２８】
本実施例１における仕切板４Ａ、吸砂口７、導水庇８、つなぎリブ９、吸砂口１０は、必要に応じてそれぞれを設けるものであり、設けないものもある。
又、集砂管１Ａの（ホ）図Ｂ部断面及び（へ）図Ｃ部断面に図示する吸砂口６は、図示するように集砂管６の両側に設けずに、片側だけとすることや、Ａ部又はＢ部断面のいずれかの高さに統一すること、全体を傾斜させた吸砂口とすることができる。
【実施例２】
【００２９】
実施例２は、図４、図５、図６に図示するように、逆Ｕ字形断面の半円形集砂管１Ｂの下流端に、集砂管１Ｂと同軸線方向に伸びる送泥管３Ｂを接続連通し、上流端に補吸水筒２Ｂを立設接続したものであり、該集砂管１Ｂの側壁にスリット状吸砂口６を設け、該補吸水筒２Ｂ内は平板の仕切板４Ｂで水路方向仕切を設け水路を分割したものである。
【００３０】
補吸水筒２Ｂの吸砂口７から集砂管１Ｂの吸砂口６上辺間には、外方に突出させた形に平板の導水庇８を設けて、沈殿物による埋没時に該導水庇８下に水路が形成されやすくする。
【００３１】
スリット状の吸砂口６により分割された形の集砂管１Ｂ上下の保持支承、及び吸砂口６の間隙を維持するために、図６の各断面に示すように、脚リブ１３，１４の吸砂口６位置には、空隙ｃを設け、脚リブ１５の導水庇８下方には空隙ｈを設ける。
【００３２】
吸砂口６は、吸砂管１Ｂ全長さ範囲を図示するように同一高さとすることや、補吸水筒２Ｂ側を高く、送泥管３Ｂ側を低く階段状に開窄すること、或は、傾斜させた吸砂口とすることが出来る。
又、吸砂口６は、集砂管１Ｂの片側のみとすることが出来る。
【実施例３】
【００３３】
実施例３は、図７に正面図を示し、図８、図９に側面図及び要部断面図を示すように、上辺中央にスリット状の吸砂口６を開口させた矩形状の角形集砂管１Ｃを持つ覆水路揚泥装置である。
【００３４】
本実施例の場合、吸砂口６が集砂管１Ｃ上面にあるために、補吸水筒２Ｃの吸砂口７から集砂管１Ｃの吸砂口６間の導水庇８は、外形手鏡状平板の握り手部分を吸砂口６の上流端上方位置にして、集砂管１Ｃ上面と隙間を設けた上位の補吸水筒２Ｃ下辺に装着し、該導水庇８の外周下辺には丸鉄を配して下辺内周に上方に窪ませた埋没時の水路を形成する。
【００３５】
集砂管１Ｃの上辺部材を補強する支承リブ１６の吸砂口６直上部分には、（ヨ）図に示すように上方向に大きく開窄した空隙ｉを設けて補強する。
【００３６】
本実施例３に外部給水用の給水カバー又は給水管を設ける場合は、吸砂口６の直上部に、取り扱い沈澱物の安息角度を配慮して、集砂管１Ｃに並走する形に平行して配設することや、補吸水筒２Ｃ側を低く、送泥管３Ｃ側を高く、必要長さ配設することができる。
【実施例４】
【００３７】
実施例４は、図１０に装置の正面図を示し、図１１（ソ）に側面図、（ツ）図に図１０の集砂管１ＤのＢ部断面視図を示すように、実施例２の装置に給水カバー１９Ｄを付加した状態の装置であり、集砂管１Ｄ上辺の補吸水筒２Ｄ寄りに給水カバー１９Ｄを冠設し、供給水筒２０Ｄを補吸水筒２Ｄと並べて立設した覆水路揚泥装置である。
【００３８】
給水カバー１９Ｄは、供給水筒２０Ｄで供給される上方水を吸砂口６に近接して供給するようにしたものであり、該給水カバー１９Ｄの下縁は補吸水筒２Ｄ側で低く、送泥管３Ｄ寄りで高く傾斜させて、外部給水の浸透距離を調整して供給するものである。
【実施例５】
【００３９】
実施例５は、図１２に示すように、実施例１の補吸水筒２Ａ近傍部分を改変した装置の部分図であり、（ネ）図に部分正面図、（ウ）図に（ネ）図のＡ−Ａ断面視図、（イ）図に部分平面図を示すように、補吸水筒２Ｅを二重管にする形で供給水筒２０Ｅを設け、上方端を開放すると共に、下方端は集砂管１Ｅ上に短く突出させた給水カバー１９Ｅ内に接続連通させて開放し、該集砂管１Ｅ上流端の先端吸砂口１０の上辺に近接して上方水を給水し、沈殿物吸入の促進を図る実施例である。
【実施例６】
【００４０】
実施例６は、図１３（ノ）図に正面図を示し、（オ）図に側面図を示すように、覆水路揚泥装置における集砂管１Ｆを極端に短縮した形態の縦形揚泥装置であり、通常水底沈殿物面に降下する形で揚砂揚泥作業を行うことや、水底に定置する形で堆積する沈殿物を回収除去する装置である。
【００４１】
図１４（ク）図に図１３（ノ）図のＡ部集砂管１Ｆの断面を示し、（ヤ）図にＢ−Ｂ断面を示すように、送泥管３Ｆと補吸水筒２Ｆ間の両側面を側板１８Ｆで塞ぎ、上方端及び下方端はそれぞれ開放し、該両側板１８Ｆ間に上下方向の空間水路ｋを形成することに依って、該装置が補吸水口５を残して沈澱物に埋没した状態においても空間水路ｋ内は保護され、上方水を吸砂口１０Ｆに近接した上辺に供給し、沈殿物の吸入を促進する。
【００４２】
補吸水筒２Ｆに設けた吸砂口７は、省略することができる、又、補吸水筒２Ｆからの給水量を調整したい場合は、補吸水筒２Ｆの径を変更することや、補吸水口５の網目開口面積を増減することで調整できる。
【実施例７】
【００４３】
実施例７は、図１５（マ）図に下半を断面で示した装置の正面図を示し、（ケ）図は側面図、（フ）図には（マ）図のＡ−Ａ断面を図示する縦形揚泥装置である。
（フ）図に示すように断面形状長円形の防砂囲い１８Ｇで送泥管３Ｇ及び補吸水筒２Ｇと隙間を設けて、外周を一体的に囲い、両管路外の内面全体に空間水路ｋを形成して、上方水を吸砂口１０Ｇ上辺全体に供給できるようにし、沈殿物の吸入濃度を向上させるものである。
【００４４】
実施例６及び実施例７の縦形揚泥装置では、装置下辺に、下方周辺に向けた圧力水噴射ノズルや、杭状の破砕棒、或は、定置するための脚を備えるができる。
又、側板１８Ｆの下辺、及び防砂囲い１８Ｇの下縁は、部分的にそれぞれの下方吸砂口１０Ｆ，１０Ｇ位置まで突出させることができる。
【産業上の利用可能性】
【００４５】
本発明はダム湖における堆砂の定点排砂や浚渫排砂から、発電、潅漑、上水道等の用水取水口堆砂の回収除去、産業プラントや各種施設の雨水や排水路の除砂除泥、下水道や水処理装置の沈殿物回収除去等を容易にするものであり、撹拌機構を要せず、周辺水を濁さない環境にやさしい省エネルギー揚泥装置として貢献できる。
【符号の説明】
【００４６】
１  集砂管（全体を指す時）
１Ａ、１Ｂ，１Ｃ，１Ｄ、１Ｅ、１Ｆ、１Ｇ  装置それぞれの集砂管
２  補吸水筒（全体を指す時）
２Ａ，２Ｂ，２Ｃ，２Ｄ、２Ｅ、２Ｆ、２Ｇ  装置それぞれの補吸水筒
３Ａ、３Ｂ、３Ｃ、３Ｄ，３Ｅ，３Ｆ、３Ｇ  装置それぞれの送泥管
４Ａ、４Ｂ、４Ｃ、４Ｆ  装置それぞれの仕切板
５  補吸水口
６  集砂管の吸砂口
７  補吸水筒の吸砂口
８  導水庇
９  つなぎリブ
１０  先端吸砂口
１０Ｆ、１０Ｇ  吸砂口
１１  丸鉄（ストレーナ）
１２  脚
１３  リブ
１４  リブ
１５  リブ
１６  支承リブ
１７  丸鉄
１８Ｆ  側板
１８Ｇ  防砂囲い
１９Ｄ、１９Ｅ  給水カバー
２０Ｄ，２０Ｅ  供給水筒
２１  補強材
２２  補強材
ａ  導水庇８下の導水路
ｂ  つなぎリブ９の吸砂口６部の隙間
ｃ  脚リブ１３，１４の吸砂口６部の隙間
ｄ  補吸水筒２の非吸砂口側流水路
ｅ  補吸水筒２の吸砂口側流水路
ｆ  集砂管１と補吸水筒２の合流点
ｇ  給水カバー１９Ｄと集砂管１Ｄ間の隙間通水路
ｈ  脚リブ１５の導水庇８下隙間
ｉ  支承リブ１６の吸砂口６上辺隙間
ｊ  脚１２の集砂管直下部隙間
ｋ  送泥管３Ｆと補吸水筒２Ｆ間、或いは，送泥管３Ｇと補吸水筒２Ｇ間の空間水路
【図１】
2017133170.tif 000003
【図２】
2017133170.tif 000004
【図３】
2017133170.tif 000005
【図４】
2017133170.tif 000006
【図５】
2017133170.tif 000007
【図６】
2017133170.tif 000008
【図７】
2017133170.tif 000009
【図８】
2017133170.tif 000010
【図９】
2017133170.tif 000011
【図１０】
2017133170.tif 000012
【図１１】
2017133170.tif 000013
【図１２】
2017133170.tif 000014
【図１３】
2017133170.tif 000015
【図１４】
2017133170.tif 000016
【図１５】
2017133170.tif 000017